(57)【特許請求の範囲】
【請求項１】
超高圧水ホースの先端に洗浄装置を連結し、該ホースと共に洗浄装置を降ろして深井戸管の洗浄を行なう方法において、洗浄装置は上部ガイドと下部ガイドの間に回転体を回転可能に軸支し、回転体の外周には複数の噴射ノズルを取付けたもので、該噴射ノズルからは超高圧水を噴射すると共に噴射に伴って噴射ノズルは回転体と共に回転し、そして、噴射する水によって洗い落とされた泥やその他の汚れを上記下部ガイドの下方に取付けた網籠に収容するもので、その為に下部ガイドの下端部外周には傾斜面を形成し、この傾斜面に沿って泥やその他の汚れが流れて上記網籠に収容することを特徴とする深井戸管内の洗浄方法。
【請求項２】
超高圧水ホースの先端に連結し、該ホースと共に降ろして深井戸管の洗浄を行なう洗浄装置において、上部ガイドと下部ガイドの間に回転体を軸支し、回転体の外周には複数の噴射ノズルを取付け、噴射ノズルからは超高圧水が噴射するように上記超高圧水ホースと連通し、そして噴射ノズルは超高圧水を噴射すると共に噴射に伴って上記回転体と共に回転し、そして、下部ガイドの下方には噴射する水によって洗い落とされた泥やその他の汚れを収容する網籠を取付け、さらに、下部ガイドの外周に沿って流れ落ちる泥やその他の汚れが上記網籠に収容されるように下部ガイドの下端部外周には傾斜面を形成したことを特徴とする深井戸管内の洗浄装置。
【請求項３】
上記下部ガイドの外周には上下方向に延びる凹溝を形成した請求項２記載の深井戸管内の洗浄装置。
【発明の詳細な説明】
【技術分野】
【０００１】
本発明は上水道用、消雪装置用、農業用、及び工業用等の深井戸管の汚れを除去し、又深井戸管に設けているストレーナに付着した泥やその他の異物により目詰まりを起こし、水が上がり難くなった該ストレーナを洗浄する方法及び洗浄装置に関するものである。
【背景技術】
【０００２】
日本国内には推計で１００万本以上（厚生労働省水道課調べ）の深井戸が設けられているが、この深井戸管のストレーナは目が細かくて泥や砂、サビ、水藻等の異物が付着して目詰まりを発生する。その結果、水が上がり難く、深井戸としての機能を失ってしまう。目詰まりは毎日使用されている深井戸は比較的少ないが、例えば消雪装置用としての深井戸の場合であれば１年のうち冬期だけ使用する為に、水を使用しない期間に深井戸管内に泥やその他の異物が付着するといった現象が発生する。
【０００３】
付着した泥等の異物は乾いて固まり、使用する時には目詰まりを起こして水が上がりにくくなる。それを繰り返して長年経過した後で、水圧が弱くなったところでストレーナの洗浄が行なわれて来ている。しかし、従来の深井戸管内のストレーナの洗浄方法は、櫓を立ててワイヤーブラシを挿入し、該ワイヤーブラシを上下に動かして洗浄したり、或は深井戸管内に差し水を行なってポンプで上下に移動し、水圧により洗浄を行なっている。
【０００４】
しかしワイヤーブラシでストレーナ面を擦ったり又は差し水を上下方向に移動するだけでは、該ストレーナの奥深くまで入り込んでいる泥やその他の異物を取除くことが出来ない。すなわち、ストレーナの穴に入り込んだ目詰まりを十分に解消することは出来ない。又従来の方法では十分な洗浄が出来ないと共に、時間がかかり洗浄コストも高くなる。
【０００５】
そして、ストレーナ面に付着した泥やその他の異物が除去されたとしても、これらは落下して井戸底に溜まってしまう。従って、長年のうちには井戸が浅くなり、底を掘り上げなくては成らなくなる。そこで、出願人はこれらの問題を解決する為に「深井戸管内の洗浄方法及び洗浄装置」に関して平成１２年１２月２６日付けで特許出願を行っている（特開２００２−１９２０９４号）。
【０００６】
上記特開２００２−１９２０９４号に係る「深井戸管内の洗浄方法及び洗浄装置」は、深井戸の内面に付着した泥やその他の異物を、簡単にしかも効率よく取除くことが出来る洗浄方法であり、超高圧水ホースの先端に洗浄装置を連結し、該ホースと共に洗浄装置を深井戸に降ろし、洗浄装置に備えている噴射ノズルから超高圧水を回転しながら噴射して付着している汚れを除去することが出来る。
【０００７】
一方、洗浄装置の上端には遮蔽板が備わっている為に、ノズルから噴射する超高圧水の逃げ場が遮断されることで深井戸管の内面やストレーナには高い水圧を伴って当り、硬くこびり付いた汚れであっても除去することが出来る。そして遮蔽板の中央であって超高圧水ホースが挿通される穴を大きくし、ホースとの間に隙間が形成されているが、噴射されて深井戸管の内面に当った水が該隙間から上がって遮蔽板の上には泥や砂等の汚れが堆積される。
【特許文献１】特開２００２−１９２０９４号に係る「深井戸管内の洗浄方法及び洗浄装置」
【発明の開示】
【発明が解決しようとする課題】
【０００８】
このように、上記「深井戸管内の洗浄方法及び洗浄装置」を使用することで、深井戸管の内面に付着した泥やその他の汚れを比較的簡単に除去することが出来る。しかし、除去した泥やその他の汚れを深井戸から取除く為に遮蔽板を設けているが、該遮蔽板では不十分である。本発明が解決しようとする課題はこの問題点であり、深井戸管の内面に付着した泥やその他の汚れを除去すると共に、これらの汚れを地上に持ち上げることが出来る洗浄方法及び洗浄装置を提供する。
【課題を解決するための手段】
【０００９】
本発明の洗浄装置は複数本の噴射ノズルがバランスして取付けられ、超高圧水ホースから送られる水は上記噴射ノズルから高速で噴射し、しかも噴出力を利用して回転することが出来る。ここで、噴射ノズルは軸に取付けている回転体に着脱可能と成っていて、深井戸管の内径に応じて適当な長さの噴射ノズルが使用される。
【００１０】
又噴射ノズルが取付けられる回転体の上部及び下部には深井戸管に嵌るガイドが設けられ、回転する上記噴射ノズル先端が深井戸管に接しないようにガイドされる。そして、下部ガイドの下方には汚れ収容籠が取付けられ、該汚れ収容籠は細かい網籠で構成している。すなわち、汚れは収容されるが水は流れ落ちるようになる。
【発明の効果】
【００１１】
本発明の洗浄装置は回転する噴射ノズルから水を噴射することで深井戸管の内面に付着している泥やその他の汚れを洗い落とすことが出来る。この際、噴射ノズルが取付けられる回転体の上部及び下部にはガイドが設けられ、噴射した水が上方及び下方へ逃げないように遮断している。すなわちノズルから噴射した高圧水の逃げ場を遮断することで深井戸内面に作用する水圧を高めることが出来、その結果、内面に付着している汚れは洗い落とされる。
【００１２】
そして下部ガイドの下方には汚れ収容籠(網籠)が取付けられ、噴射ノズルから噴射する水にて洗い落とされた汚れは網籠に収容され、水は網目から流出する。従って、付着して洗い落とされた汚れが深井戸底に堆積することはなく、洗浄装置を引き上げると同時に網籠に入った汚れも持ち上げられる。
【実施例】
【００１３】
図１は深井戸管１に洗浄装置５を降ろして深井戸管内面に付着した汚れを落としている洗浄作業を示している。超高圧洗浄車３のドラムに巻付いている超高圧水ホース２を巻き戻し、深井戸の真上に配置している滑車４に巻き付いて超高圧水ホース２は深井戸管内に真っ直ぐに降ろされる。
【００１４】
そして超高圧水ホース２の下端には洗浄装置５が取付けられ、該洗浄装置５には回転する噴射ノズル６，６・・が備わっていて、深井戸管内面に超高圧水を噴射することで付着している汚れを洗い落とすことが出来る。一般に洗浄作業は上記洗浄装置５を深井戸管１の底に降ろした状態で、底から上方に吊上げながら行う。これは深井戸管１の一部が損傷している場合に、底から上方へ吊上げながら洗浄作業を行なう方がトラブルが少なくて済む。
【００１５】
そして該深井戸管１の適当な位置にはストレーナ１０が設けられ、該ストレーナ１０を通して地下水が深井戸内に流れ込んで溜まる。図２は深井戸管１の一部に設けられるストレーナ１０を示している具体例であり、該ストレーナ１０は周面に多数の穴９，９・・を有す筒と、該筒の外周には上下方向に延びている複数本の枕線７，７・・を等間隔で設け、さらに枕線７，７…の外周には巻き線８が間に僅かな隙間を残して捲き付けされている。
【００１６】
そこで地下水は該ストレーナ１０に形成している僅かな隙間を通過して深井戸管１内に流れ込むことが出来る。深井戸管１の内周面及びこの一部に設けているストレーナ１０には特に汚れが付着し、巻き線８の僅かな隙間及び小さな穴６，６…には泥や砂が詰まってしまい、地下水がストレーナ１０を通過して深井戸管１内に流れ込まないようになる。そこで、本発明の洗浄装置５は深井戸管１の内周面に付着した汚れは勿論、ストレーナの穴６，６…及び巻き線８の隙間に詰まった泥や砂を除去することが出来る。
【００１７】
図３は本発明の洗浄装置５を示している実施例である。洗浄装置５は超高圧水ホース２の下端に連結されているが、噴射ノズル６、上部ガイド１１、下部ガイド１２、回転体１３、網籠１４で構成している。上部ガイド１１は円柱状を成して超高圧水ホース２から下方へ延びるボルト１５に連結している。そして、上部ガイド１１の中心には軸１６が下方へ延び、この軸１６には上記回転体１３が回転自在に軸支されている。
【００１８】
又、上記軸１６から下方へボルト１７を延ばし、このボルト１７には下部ガイド１２が螺合して取付けられている。回転体１３は上部ガイド１１と下部ガイド１２との間に挟まれているが、回転することが出来るように上下端面は上部ガイド１１の下面及び下部ガイド１２の上面に接しないように僅かな隙間を介在している。
【００１９】
回転体１３はその外径を上下ガイド１１，１２より小さくし、外周には複数の噴射ノズル６，６・・が取付けられている。該噴射ノズル６，６・・は回転体１３に設けているネジ穴に螺合して取付けられるが、その為に、簡単に交換可能な構造としている。超高圧水ホース２から導かれる水は上部ガイド１１から軸１６の中心軸に形成している穴１８を流れて噴射ノズル６，６・・から噴射し、噴射する力の反力の作用で回転体１３は回転することが出来る。
【００２０】
本発明の洗浄装置５はその下方に網籠１４が取付けられている。すなわち、網籠１４の中心に設けている軸ネジ１９が下部ガイド１２のネジ穴に螺合して取付けられ、弛み止め用のナット２０，２０が締付けられている。網籠１４は複数本のフレーム２１，２１・・に網が取付けられて籠体を形成し、これらフレーム２１，２１・・は上記軸ネジ１９と同心を成す中心軸に固定されている。ここで、網籠１４の網目は泥やその他の汚れが収容され、水が抜け落ちるように比較的小さくしている。
【００２１】
ところで、洗浄装置５を深井戸管１に下ろし、噴射ノズル６，６・・から噴射する水によって、深井戸管１の内面に付着している泥やその他の汚れを洗い落とすことが出来る。この場合、概略円柱状の上部ガイド１１と下部ガイド１２は深井戸管１内にガイドされて降下し、回転体１３の外周に突出する噴射ノズル６，６・・が深井戸管１に接しないようにしている。同じく、網籠１４も深井戸管１に接することなく昇降動することが出来る。
【００２２】
回転体１３に取付けられた噴射ノズル６，６・・から水が高速で噴射し、深井戸管１の内面、特にストレーナ１０に当ることで、穴９，９・・に詰まっている泥や砂は洗い落とされる。そして、噴射した水は上部ガイド１１と下部ガイド１２とで挟まれた閉鎖空間内で充満して高い水圧が作用して泥やその他の汚れが洗浄される。
【００２３】
そして、洗い落とされた汚れは、水と共に下部ガイド１２と深井戸管１の内面の隙間２２を流れて網籠１４に流れ落ち、該網籠１４に収容される。ただし、水は網目を通過して流れ落ちることが出来る。下部ガイド１２の下端部外周には傾斜面２３が形成されている為に、洗い落とされた汚れは水と共に下部ガイド１２の傾斜面２３に沿って流れ落ち、その結果、網籠１４に収容される。又、必要に応じて外周面には複数の凹溝を上下方向に設けることもあり、洗い落とされる汚れはこの凹溝を流れ落ちて網籠１４に収容される。
【００２４】
同図に示す網籠１４は深井戸管１との間に僅かな隙間を残しているが、該隙間が生じないようにシール材を取付けることも出来る。そして、網籠１４に収容された汚れは洗浄装置５と共に深井戸管１から引き上げられる。
【図面の簡単な説明】
【００２５】
【図１】洗浄装置を深井戸管内に降ろして洗浄している状態。
【図２】深井戸管の一部に設けているストレーナ。
【図３】下方に網籠を備えた本発明の洗浄装置の実施例。
【符号の説明】
【００２６】
１  深井戸管
２  超高圧水ホース
３  超高圧洗浄車
４  滑車
５  洗浄装置
６  噴射ノズル
７  枕線
８  巻き線
９  穴
10  ストレーナ
11  上部ガイド
12  下部ガイド
13  回転体
14  網籠
15  ボルト
16  軸
17  ボルト
18  穴
19  軸ネジ
20  ナット
21  フレーム
22  隙間
23  傾斜面
【図１】
0005063228.tif 000002
【図２】
0005063228.tif 000003
【図３】
0005063228.tif 000004